(57)【要約】    【課題】健康維持のための運動器具であると同時に一定の社会貢献に資するサイクルトレーナの提供。    【解決手段】このサイクルトレーナ１０は、フレーム１１と、フレーム１１に設けられたサドル１２及びハンドル１３と、ペダル装置１４と、粉挽装置１５と、連動機構１６とを備えている。連動機構１６は、粉挽装置１５をペダル装置１４に連動させる。ペダル装置１４が駆動されることによって、粉挽装置１５は、粉を挽くことができる。連動機構１６は、ベルト・プーリー機構４０からなる。ペダル装置１４が回転されると、ベルト・プーリー機構４０が粉挽装置１５を駆動する。粉挽装置１５は、石臼が採用される。【選択図】図１
2006026294.tif 000002
【特許請求の範囲】
【請求項１】
回転可能なペダル装置を有するサイクルトレーナであって、
回転駆動されることによって粉を挽く粉挽装置と、
粉挽装置をペダル装置に連動させる連動機構とを備えたサイクルトレーナ。
【発明の詳細な説明】
【技術分野】
【０００１】
本発明は、健康増進を目的とした自転車こぎ運動に供されるサイクルトレーナの構造に関するものである。
【背景技術】
【０００２】
従来から健康増進、体力増強を目的とするサイクルトレーナが提案されている（例えば、特許文献１参照）。サイクルトレーナは、これを利用する者にいわゆる自転車こぎ運動を行わしめることによって、利用者の体力増強を図るものである。
【０００３】
【特許文献１】特開２００３−２２５３２３号公報
【発明の開示】
【発明が解決しようとする課題】
【０００４】
このようなサイクルトレーナは、スポーツ選手の筋力増強や心肺機能の向上にも利用され得るが、近年では、例えば老人ホーム等において、老人の健康維持のための運動にも利用されている。
【０００５】
ところで、現役をリタイアした老人の多くは、漫然と老後を過ごすのはなく、何らかの社会貢献のための活動を望んでいる。本発明は、そのような老人の要望に応えるためになされたものであって、健康維持のための運動器具であると同時に一定の社会貢献に資するサイクルトレーナを提供することを目的とするものである。
【課題を解決するための手段】
【０００６】
この目的が達成されるため、本発明に係るサイクルトレーナは、回転可能なペダル装置を有するサイクルトレーナであって、回転駆動されることによって粉を挽く粉挽装置と、粉挽装置をペダル装置に連動させる連動機構とを備えたことを特徴とする。
【０００７】
このサイクルトレーナでは、使用者がペダル装置に足を掛けてペダル装置を回転させると、連動機構が粉挽装置を回転させる。この粉挽装置は、さまざまな物を粉体にすることができる。たとえば、粉挽装置は、大豆を挽くことによってきなこを製造する。また、粉挽装置は、コーヒ豆を挽くことも可能である。
【発明の効果】
【０００８】
本発明では、サイクルトレーナによって、使用者は、自己の健康維持のための運動をすることができるだけでなく、粉挽作業をすることもできる。また、このようにして製造された粉は、日々の食生活にも役立つ。このことは、このサイクルトレーナが例えば老人ホーム等で使用されるときは、老人がサイクルトレーナを使用することによって健康維持を図ることができるのみならず、老人にとっての生き甲斐にもなり、ひいては、一定の社会貢献にもつながる。
【発明を実施するための最良の形態】
【０００９】
以下、適宜図面が参照されつつ、好ましい実施形態に基づいて本発明が詳細に説明される。
【００１０】
図１は、本発明の一実施形態に係るサイクルトレーナの一部断面正面図である。
このサイクルトレーナ１０は、特に老人の健康維持のための運動に利用され得る。サイクルトレーナ１０は、フレーム１１と、フレーム１１に設けられたサドル１２及びハンドル１３と、フレーム１１に組み付けられたペダル装置１４及び粉挽装置１５と、粉挽装置１５をペダル装置１４に連動させる連動機構１６とを備えている。本実施形態に係るサイクルトレーナ１０の特徴とするところは、上記粉挽装置１５が設けられている点であり、これにより、サイクルトレーナ１０を利用する者は、健康増進運動を行いながら、さまざまな粉挽作業を行うことができるようになっている。
【００１１】
フレーム１１は、例えば鋼管等が組み合わされた骨組構造を有する。フレーム１１は、その下部に脚部１７を備えており、当該サイクルトレーナ１０が床等に安定して載置されるようになっている。この脚部１７も鋼管が湾曲形成されること等により構成され得る。フレーム１１は、柱１８〜２０を備えている。これら柱１８〜２０は、フレーム１１の合成を向上させると共に、後述の機能を果たす。なお、本実施形態では、フレーム１１にはカバー３４が取り付けられている。このカバー３４は、例えば樹脂からなり、フレーム１１の外観を構成する。
【００１２】
サドル１２は、フレーム１１の上部に固定されている。サドル１２は支柱２１を備えており、この支柱２１がフレーム１１に溶接等により固着されている。なお、支柱２１も鋼管等から構成される。ハンドル１３は、フレーム１１の前方に固定されている。ハンドル３も支柱２２を備えており、この支柱２２がフレーム１１に溶接等により固着されている。この支柱２２も鋼管等から構成される。ハンドル１３はグリップ２３を備えており、これにより、利用者は、ハンドル１３を安全に握ることができる。
【００１３】
ペダル装置１４は、従来のサイクルトレーナに採用されているものと同様の構成であって、回転軸２４と、ペダル２５と、負荷錘２６とを備えている。回転軸２４は、鋼等の金属からなり、上記柱１９に回転自在に支持されている。ペダル２５は、アーム２７と、足掛板２８とを備えている。アーム２７は鋼等の金属からなり、その基端部が上記回転軸２４に固定されている。そして、アーム２７の先端部に足掛板２８が取り付けられている。足掛板２８は、平板状に形成されており、鋼等の金属や樹脂等から構成される。このペダル２５は、同図が示すように一対設けられており、利用者は、一対の足掛板２７に足をかけてペダル２５を回転させることができる。
【００１４】
負荷錘２６は、鋼等の金属からなり、ペダル装置１４が回転される際のはずみ車として機能する。すなわち、利用者がペダル装置１４を回転させて自転車こぎ運動をする際の運動の負荷として機能する。この負荷錘２６は、円盤状に形成されている。負荷錘２６は、支持軸２９を備えており、この支持軸２９が上記柱１８に支持されている。負荷錘２６は、支持軸２９の周りに回転可能となっているが、負荷錘２６が支持軸２９に固定され、支持軸２９が回転するように構成されていてもよい。この負荷錘２６は、ベルト３０を介してペダル装置１４と連結されている。具体的には、ペダル装置１４の回転軸２４にプーリー３１が設けられており、このプーリー３１にベルト３０が巻回されている。そして、このベルト３０は、負荷錘２６の外周面にも巻回されている。したがって、ペダル装置１４が回転されると、ベルト３０によって負荷錘２６も回転され、これにより、利用者の自転車こぎ運動に負荷がかかる。
【００１５】
粉挽装置１５は、本実施形態では石臼が採用されている。もっとも、粉挽装置１５は、石臼に限定されるものではなく、回転されることによって粉を挽く装置であれば他のものも採用され得る。粉挽装置１５は、ベース部材３２と回転部材３３とを備えている。回転部材３３がベース部材３２に対して相対的に回転することによって、両者間に挿入された豆等が細かく粉砕され粉体が生成される。ベース部材３２の上面及び回転部材３３の下面には、図示されていないが粉砕刃が形成されている。そして、回転部材３３の上面には凹部３７が設けられている。粉の材料は、この凹部３７に一旦ストックされる。回転部材３３には、この凹部３７と当該回転部材３３の下面とを連通する連通孔が設けられており、粉の材料は、この連通孔を通って上記粉砕刃の間に進入する。本実施形態では、粉挽装置１５として石臼が採用されるので、粉挽装置１５は、例えば粉の材料といしての大豆を挽いて、きなこを生成することが可能である。
【００１６】
粉挽装置１５は、案内トレイ３５を備えている。この案内トレイ３５は、樹脂等からなり、上記カバー３４に取り付けられている。案内トレイ３５は、生成される粉の材料となるもの（例えば大豆）を上記回転部材３３の凹部３７に案内する。また、上記ベース部材３２には収集トレイ３６が設けられている。この収集トレイ３６は、ベース部材３２と回転部材３３との境界部分に配置され、挽かれた粉を受け止める。なお、この収集トレイ３６も樹脂等から構成され得る。
【００１７】
連動機構１６は、上記回転部材３３の回転中心に設けられた駆動軸３８と、駆動軸３８に連結された歯車機構３９と、歯車機構３９を駆動させるベルト・プーリー機構４０とを備えている。
【００１８】
駆動軸３８は、鋼等の金属からなり、上記回転部材３３に固定されている。駆動軸３８が回転すると、回転部材３３も回転する。
【００１９】
歯車機構３９は、マスターギア４１とウォームギア４２とを備えている。ウォームギア４２は、駆動軸３８の先端に固定されている。マスターギア４１は、中心軸４３を備えており、この中心軸４３が上記柱２０に支持されている。マスターギア４１は、この中心軸４３と共に回転される。マスターギア４１は、その外周縁部に歯が形成されており、ウォームギア４２は、この歯に螺合している。したがって、マスターギア４１が回転すると、マスターギア４１の回転中心軸と直交する駆動軸３８が回転されることになる。
【００２０】
ベルト・プーリー機構４０は、上記中心軸４３に取り付けられたプーリー４４と、上記ペダル装置１４の回転軸２４に取り付けられたプーリー４５と、これらプーリー４４、４５に掛け回されたベルト４６とを備えている。上記ペダル装置１４が駆動されることによって回転軸２４が回転すると、ベルト４６によって連結されたプーリー４４が回転する。その結果、上記中心軸４３及びマスターギア４１が回転し、粉挽装置１５が駆動される。
【００２１】
本実施形態に係るサイクルトレーナ１０は、例えば、老人ホーム等の施設に設置される。その場合、老人が健康維持のために日々このサイクルトレーナ１０を使用して体力増強を図ることができる。しかも、このサイクルトレーナ１０の利用者がペダル２５に足を掛けてペダル装置１４を回転させると、連動機構１６が粉挽装置１５を回転させる。このとき、利用者が例えば大豆を案内トレイ３５に供給することによって、粉挽装置１５は、きなこを生成する。
【００２２】
このように、このサイクルトレーナ１０の利用者は、自己の健康維持のための運動をすることができるだけでなく、粉挽作業をすることもできる。また、このようにして製造された粉は、日々の食生活にも役立つ。このことは、利用者にとっての生き甲斐にもなり、ひいては、一定の社会貢献にもつながるという利点がある。
【産業上の利用可能性】
【００２３】
本発明は、サイクルトレーナの構造に適用され得る。
【図面の簡単な説明】
【００２４】
【図１】図１は、本発明の一実施形態に係るサイクルトレーナの一部断面正面図である。
【符号の説明】
【００２５】
１０・・・サイクルトレーナ
１４・・・ペダル装置
１５・・・粉挽装置
１６・・・連動機構
２４・・・回転軸
２５・・・ペダル
２６・・・負荷錘
２７・・・アーム
２８・・・足掛板
２９・・・支持軸
３０・・・ベルト
３１・・・プーリー
３２・・・ベース部材
３３・・・回転部材
３５・・・案内トレイ
３６・・・収集トレイ
３７・・・凹部
３８・・・駆動軸
３９・・・歯車機構
４０・・・ベルト・プーリー機構
４１・・・マスターギア
４２・・・ウォームギア
４３・・・中心軸
４４・・・プーリー
４５・・・プーリー
４６・・・ベルト
【図１】
2006026294.tif 000003